(57)【要約】【課題】本発明は何時までもふっくらとして見栄えが良く、且つ、座った時或いは寝ころんだ時に、底打ち感を与えることがなくなると共に、湿気が内部にこもらず、保温能力が良好で、且つ、負荷が分散されて、座り心地或いは寝心地の良いものとなり、更に四隅がしぼまずにしっかりとした四角形が保持でき、カバーを被せると、高級感がより一層醸し出される二重クッションの座布団及び敷布団等の敷物を提供することを目的とする。【解決手段】上面に多数の突起２を形成した四角形状の下敷クッション板層１と、その上部に羽毛を封入した羽毛層３と、下敷クッション板層１を入れるクッション用内袋４と、羽毛を充填させて羽毛層３に成すための羽毛用内袋５と、から少なくとも構成させ、且つ、クッション用内袋４と羽毛用内袋５を一体に縫製し、下敷クッション板層１を入れた状態のクッション用内袋４の周囲から羽毛用内袋５の外周が突出する大きさとした構造とする。【選択図】図１
2017202082.tif 000002
【特許請求の範囲】
【請求項１】
上面に多数の突起（２）を形成した四角形状の下敷クッション板層（１）と、その上部に羽毛を封入した羽毛層（３）と、前記下敷クッション板層（１）を入れるクッション用内袋（４）と、羽毛を充填させて前記羽毛層（３）に成すための羽毛用内袋（５）と、から少なくとも構成させ、且つ、前記クッション用内袋（４）と前記羽毛用内袋（５）を一体に縫製し、前記下敷クッション板層（１）を入れた状態の前記クッション用内袋（４）の周囲から前記羽毛用内袋（５）の外周が突出したことを特徴とする二重クッションの座布団及び敷布団等の敷物。
【請求項２】
前記下敷クッション板層（１）の硬度が、１００Ｎ〜４００Ｎの範囲である請求項１記載の二重クッションの座布団及び敷布団等の敷物。
【発明の詳細な説明】
【技術分野】
【０００１】
本発明は繰返し使用してもふっくらとして見栄えが良く、且つ、座った時或いは寝ころんだ時に、沈み込みが少なく底打ち感を与えることのない二重クッションの座布団及び敷布団等の敷物に関する。
【背景技術】
【０００２】
一般に羽毛だけの座布団や敷布団は、座った時或いは寝ころんだ時に、沈み込みが多く、底打ち感を与え、座り心地や寝心地が良くないものであった。このため、特に羽毛だけを詰め込んだ座布団や敷布団は殆ど市販されていないのが現状である。
【０００３】
一方、座布団や敷布団の詰めものとして、軟質ポリウレタンフォームにより形成されたものが多く市販されているが、ふっくらとして見栄えが良い羽毛のものに比べ、軟質ポリウレタンフォームのものは高級感に欠けるものであった。
【０００４】
また座布団や敷布団の他の詰めものとして、綿だけのものが多く市販されている。これは膨らみが直ぐに潰れてヘタリ易く、且つ、重たく感じるものとなっていた。しかも、特に座布団の形状としては、四隅に丸味を生じる（図６参照）ものが大半であり、この座布団にカバーを被せると、四隅がしぼみ、綿が不足しているように見えてしまい、高級感が出ないものとなっていた。
【０００５】
このため、近年に於いては、羽毛と綿を用いて、座った時に、沈み込みが少なく、底打ち感を与えない座布団の提案として、特開２０００−２７９２７８がある。これは、内袋に綿を充填し、外袋に羽毛を充填させ、内袋を外袋で被覆した構造のものである。しかしながら、この座布団の形状は、図６に示すように四隅に丸味を生じるものであるので、これにカバーを被せると、四隅がしぼみ、綿が不足しているように見えてしまい、高級感が出ないものとなっていた。更に座った時、羽毛が押圧されて密着するため、湿気が綿に浸み込み、座布団の内部に湿気がこもってしまうため、保温性が低下し、座り心地が悪いものとなっていた。
【先行技術文献】
【特許文献】
【０００６】
【特許文献１】特開２０００−２７９２７８号公報
【発明の概要】
【発明が解決しようとする課題】
【０００７】
本発明は繰返し使用してもふっくらとして見栄えが良く、且つ、座った時或いは寝ころんだ時に、沈み込みが少なく底打ち感を与えることがないと共に、湿気が内部にこもらず、保温能力が良好で、且つ、負荷が分散されて、座り心地或いは寝心地の良いものとなり、更に四隅がしぼまずにしっかりとした四角形が保持でき、カバーを被せると、高級感がより一層醸し出される二重クッションの座布団及び敷布団等の敷物を提供することを目的とする。
【課題を解決するための手段】
【０００８】
本発明は上記現状に鑑みて成されたものであり、つまり、上面に多数の突起を形成した四角形状の下敷クッション板層と、その上部に羽毛を封入した羽毛層と、下敷クッション板層を入れるクッション用内袋と、羽毛を充填させて羽毛層に成すための羽毛用内袋と、から少なくとも構成させ、且つ、クッション用内袋と羽毛用内袋を一体に縫製し、下敷クッション板層を入れた状態のクッション用内袋の周囲から羽毛用内袋の外周が突出したものとする。また前記下敷クッション板層の硬度を１００Ｎ（ニュートン）〜４００Ｎ（ニュートン）の範囲にするのが好ましい。尚、本発明で言う「クッション板層」とは、連続気泡の弾性ポリウレタンフォーム材料等により形成される成形体を指すものとする。又、本発明で言う「一体に縫製」とは、始めからクッション用内袋と羽毛用内袋を縫製して一体にする場合と、クッション用内袋と羽毛用内袋を別々に縫製した後に、一体になるように縫製する場合とがある。
【発明の効果】
【０００９】
請求項１のように上面に多数の突起（２）を形成した四角形状の下敷クッション板層（１）と、その上部に羽毛を封入した羽毛層（３）と、下敷クッション板層（１）を入れるクッション用内袋（４）と、羽毛を充填させて羽毛層（３）に成すための羽毛用内袋（５）と、から少なくとも構成させることにより、本発明品を座布団に仕上げれば、繰返し使用しても、ふっくらとして見栄えが良く、且つ、座った時に、沈み込みが少なく底打ち感を与えることがないものとなる。しかも、羽毛層（３）と下敷クッション板層（１）との間には、突起（２）によって形成された空隙が出来るため、湿気は空隙から外部へ排出されて、内部に湿気がこもらないものとなり、保温能力が良好で、且つ、座り心地の良い座布団となるのである。
またクッション用内袋（４）と羽毛用内袋（５）を一体に縫製し、下敷クッション板層（１）を入れた状態のクッション用内袋（４）の周囲から羽毛用内袋（５）の外周を突出させることにより、四隅がしぼまずにしっかりとした四角形が保持でき、カバーを被せれば、高級感をより一層醸し出すものとなる。つまり、図６に示す従来品にカバーを被覆すると、四隅がしぼみ、綿が不足しているように見えるのに対し、本発明品は、図４の如く四隅の角がしっかりと出ており、カバーを被覆してもきれいな四角形状となり、高級感が醸し出されるものとなるのである。
【００１０】
又、本発明品を敷布団に仕上げれば、座布団と同様に繰返し使用しても、ふっくらとして何時までも見栄えが良く、且つ、寝ころんだ時に、沈み込みが少なく底打ち感を与えることがないものとなる。しかも、羽毛層（３）と下敷クッション板層（１）との間には、突起（２）によって形成された空隙が出来るため、長時間に渡って横臥していても、空隙から湿気が外部へ排出されて、内部に湿気がこもらないものとなるので、保温能力が良好となり、且つ、突起（２）は、羽毛層（３）の上から手の平で押すと、突起（２）が感じられ、その多数の突起（２）によって負荷が分散されて、寝心地の良い敷布団となるのである。更に多数の突起（２）によって人体の各部位が点接触で支持されるものとなるため、人体が面接触される場合よりも、はるかに血行が良好なものになり、早く深く眠れるものとなると共に、長期間に渡って寝込んでも床ずれなどが生じにくく、寝心地の良いものとなる。
【００１１】
請求項２のように下敷クッション板層（１）の硬度を１００Ｎ〜４００Ｎの範囲にすることにより、一般女性，一般男性，体重が８０Ｋｇ以上の男性に適した硬さが選択できるものとなるため、座布団や敷布団等の差別化が可能なものとなる。しかも、使用者の好みに対応する硬さの下敷クッション板層（１）を用いて敷布団に仕上げれば、寝心地がより良いものとなると共に、寝返り時の腰，肩，背中などの負担が軽減できるものとなり、腰痛，肩こり，背中のハリなどの改善が期待でき、且つ、寝返りが楽なものとすることが可能となる。
【図面の簡単な説明】
【００１２】
【図１】本発明が座布団である時の実施形態の要部断面を示す説明図である。
【図２】本発明が敷布団である時の実施形態の要部断面を示す説明図である。
【図３】本発明で用いる外袋を示す平面図である。
【図４】本発明品の座布団を示す斜視図である。
【図５】本発明の敷布団にキルティング加工を施した状態を示す説明図である。
【図６】従来品の座布団を示す斜視図である。
【発明を実施するための形態】
【００１３】
本発明の実施形態を図１、図２に基づき説明する。（１）は四角形状に形成された下敷クッション板層であり、該下敷クッション板層（１）としては連続気泡の弾性ポリウレタンフォーム材料により所定形状の成形体に形成させるのが好ましいが、ポリウレタン以外の発泡樹脂で形成しても良い。また前記下敷クッション板層（１）の硬度としては、１００Ｎ（ニュートン）〜４００Ｎ（ニュートン）の範囲とするが、好ましくは２００Ｎ〜３００Ｎである。尚、硬さの区別を、軟質，硬質，超硬質に分けると、軟質は１００Ｎ〜１８０Ｎ、硬質は１８０Ｎ〜２５０Ｎ、超硬質は２５０Ｎ〜４００Ｎを目安にすれば良い。この硬度は、ＪＩＳ  Ｋ６４００−２Ｄ法で求めた硬度を参考にすれば良い。
【００１４】
（２）は下敷クッション板層（１）の上面全体に渡って形成した多数の突起であり、該突起（２）としてはプロファイル加工して形成するのが好ましい。また前記突起（２）の形状としては、例えば、山形状，円柱形状，四角柱形状，円錐台形状，キノコ形状などとしても良い。又、座布団用の下敷クッション板層（１）の厚さが６０ｍｍ〜７０ｍｍ前後である場合の突起（２）の高さとしては、２０ｍｍ〜４５ｍｍの範囲である。
【００１５】
（３）は下敷クッション板層（１）の上部に設けた羽毛層であり、該羽毛層（３）は、後述する羽毛用内袋（５）の内部に羽毛を充填して形成されている。この時、使用する羽毛は羽毛布団に用いられている一般的なものを用いる。又、座布団の場合、６５ｍｍの厚さの下敷クッション板層（１）を用いた時には、羽毛層（３）の厚さを６０ｍｍ前後とし、敷布団の場合、６５ｍｍの厚さの下敷クッション板層（１）を用いた時には、羽毛層（３）の厚さを１０ｍｍ〜２０ｍｍ前後とする。この敷布団の羽毛層（３）は薄いので、羽毛が片寄らぬようにするために、図５に示すようにキルティング加工を施しておく。
【００１６】
（４）は下敷クッション板層（１）を入れるクッション用内袋であり、（５）は羽毛を充填させて羽毛層（３）と成すための羽毛用内袋であり、該羽毛用内袋（５）はクッション用内袋（４）と一体に縫製されていると共に、羽毛用内袋（５）の大きさは、下敷クッション板層（１）を入れた状態のクッション用内袋（４）よりも一回り（２０ｍｍ〜４５ｍｍ前後）大きく形成されている（図３参照）。尚、図１、図２の図中に於いては、クッション用内袋（４）の上側と羽毛用内袋（５）の下側が別々に形成されているが、どちらか一方の重なり部分をなくして共用させたものとしても良い。つまり、下敷クッション板層（１）と羽毛層（３）の間の布地は、図中に於いては２枚の布地があるが、１枚の布地としても良い。また前記クッション用内袋（４）の上面と羽毛用内袋（５）の下面は、図３に示す点線位置で縫合せられている。
【００１７】
（６）はクッション用内袋（４）と羽毛用内袋（５）の周囲を被う外袋であり、該外袋（６）はクッション用内袋（４）や羽毛用内袋（５）と同一の材質のものを用いるが、他の材質のものでも良い。
【００１８】
次に本発明品の作り方について説明する。予め所定サイズに形成した下敷クッション板層（１）と、羽毛用内袋（５）の下面とクッション用内袋（４）の上面が縫製されて一体化したものを用意しておく。先ずクッション用内袋（４）に下敷クッション板層（１）を入れ、クッション用内袋（４）の開口部を縫製して閉じる。この時、図３に示すように図中の点線で示す四角形(充填した状態のクッション用内袋)の外周から、羽毛用内袋（５）の外周が突出された状態となる。この突出した羽毛用内袋（５）の内部へ羽毛を入れて充填させる。そして、羽毛用内袋（５）の開口部を縫製して閉じる。すると、羽毛用内袋（５）は膨らみ、その四辺がクッション用内袋（４）の外周と略同じになるが（図１、図２参照）、四隅だけが突出した状態となるのである（図４参照）。前記羽毛用内袋（５）の開口部が閉じられた後、全体を外袋（６）で覆えば、図４に示すような製品として完成するのである。この時、高級に見えるカバーを用意し、それを製品に被覆して販売させても良い。
【００１９】
次に本発明の作用について説明する。先ず、上面に多数の突起（２）を形成した四角形状の下敷クッション板層（１）を設けたことにより、羽毛だけの座布団と異なり、座った時に、沈み込みが少なく底打ち感を与えることがないものとなる。そして、下敷クッション板層（１）の上部に羽毛層（３）を設けているので、羽毛のふっくらした状態が得られて高級感を醸し出すものとなる。この時、上方から羽毛層（３）を手のひらで押すと、下敷クッション板層（１）の突起（２）が感じられる。又、下敷クッション板層（１）と羽毛層（３）との間には、突起（２）によって形成された空隙が出来るため、湿気が空隙から外部へ排出されて、内部にこもらないものとなり、保温能力が良好で、且つ、突起（２）によって負荷が分散されて、座り心地の良い座布団或いは寝心地の良い敷布団となるのである。しかも、羽毛用内袋（５）を、下敷クッション板層（１）を入れた状態のクッション用内袋（４）よりも大きく形成させているので、図４の如く、四隅の角がしっかりと出ており、きれいな四角形状となり、見栄えが良く且つふっくらとした高級感が醸し出されるものとなるのである。
【００２０】
特に、上面に多数の突起（２）が形成された下敷クッション板層（１）を用いて敷布団にすると、上面が平らなものと異なり、人体の各部位が点接触で支持されるものとなるため、人体が面接触される場合よりも、はるかに血行が良好なものになり、且つ、指圧効果が期待出来るものとなり、早く深く眠れ、長期間に渡って寝込んでも床ずれなどが生じにくく、寝心地の良いものとなる。この時、下敷クッション板層（１）の硬度を、１００Ｎ〜４００Ｎの範囲で選定すれば、使用者の好みに対応する硬さの下敷クッション板層（１）が得られ、寝心地がより良いものとなると共に、寝返り時の腰，肩，背中などの負担が軽減できるものとなり、腰痛，肩こり，背中のハリなどの改善が期待でき、且つ、寝返りが楽なものとすることが可能となる。
【００２１】
このように、二重クッション構造で、且つ、軽くて暖かい羽毛の利点が引出されるものとなる。又、全身がしっかりと多数の突起（２）で支えられ、体圧を分散し、バランスの良い寝姿勢を確保して、快適な睡眠が得られるものとなる。
【符号の説明】
【００２２】
１  下敷クッション板層
２  突起
３  羽毛層
４  クッション用内袋
５  羽毛用内袋
【図１】
2017202082.tif 000003
【図２】
2017202082.tif 000004
【図３】
2017202082.tif 000005
【図４】
2017202082.tif 000006
【図５】
2017202082.tif 000007
【図６】
2017202082.tif 000008